(57)【特許請求の範囲】
【請求項１】
軸受を支持し、当該軸受に支持される回転軸と交差する第１の方向に当該軸受が取り外されるように開放されている軸受支持部と、
前記回転軸の一端に設けられた回転軸側軸継手に接続されることにより前記回転軸に駆動力を伝達する駆動側軸継手と、
前記軸受に接触する軸受接触部を有する接触部材と、
前記駆動側軸継手を駆動源に接続されたまま前記回転軸側軸継手に向けて押し出すことにより前記駆動側軸継手を前記回転軸側軸継手に接続する押出手段と、
前記接触部材に設けられた、前記駆動側軸継手に接触する駆動側軸継手接触部と
を有し、
前記軸受接触部は、前記接触部材が第１の位置に位置する場合に、前記軸受の前記第１の方向への移動を規制するように前記軸受に接触すると共に、前記接触部材が前記第１の位置から前記回転軸と交差する第２の方向に移動した場合に、前記軸受の前記第１の方向への移動を規制しないように前記軸受から離され、
前記駆動側軸継手は、前記接触部材が前記第１の位置に位置する場合に、前記回転軸側軸継手に接続されるように前記押出手段によって前記回転軸側軸継手に向けて押し出されると共に、前記接触部材が前記第１の位置から前記第２の方向に移動した場合に、前記回転軸側軸継手から離れるように前記駆動側軸継手接触部によって引き戻される
ことを特徴とする支持機構。
【請求項２】
前記支持機構と前記回転軸を有する回転体とを収容する筐体と、
前記筐体の一面が開閉されるように設けられた開閉部と、
前記開閉部が閉じられている場合に前記接触部材を前記第１の位置に位置させ、前記開閉部が開かれた場合に前記接触部材を前記第１の位置から前記第２の方向に移動させるリンク機構と
を有することを特徴とする請求項１に記載の支持機構。
【請求項３】
前記駆動側軸継手の外周面にフランジが設けられており、
前記駆動側軸継手接触部は、前記回転軸側軸継手の側から前記フランジに接触し、前記接触部材が前記第２の方向に移動するにつれて前記回転軸側軸継手から離れる方向に前記駆動側軸継手を引き戻すように、前記第２の方向に対して傾斜させて設けられている
ことを特徴とする請求項１又は２に記載の支持機構。
【請求項４】
前記軸受支持部は、前記軸受の周方向の２箇所で前記軸受の外周面に接触することによって前記軸受を支持し、
前記軸受接触部は、前記軸受の周方向の１箇所で前記軸受の外周面に接触することによって前記軸受の前記第１の方向への移動を規制する
ことを特徴とする請求項１乃至３のいずれかに記載の支持機構。
【請求項５】
請求項１乃至４のいずれかに記載の支持機構と、
前記駆動側軸継手に駆動力を伝達する駆動源と、
像保持体と、
前記像保持体の回転軸を支持するとともに前記軸受支持部に支持される軸受と、
前記回転軸の一端に設けられた回転軸側軸継手と、
前記像保持体に像を形成する像形成手段と、
前記像保持体に形成された像を記録媒体に転写する転写手段と
を有することを特徴とする画像形成装置。
【発明の詳細な説明】
【技術分野】
【０００１】
本発明は、支持機構及び画像形成装置に関する。
【背景技術】
【０００２】
電子写真方式の画像形成装置において、軸継手によって感光体ドラムに駆動力を伝達する技術が知られている。例えば、特許文献１には、圧縮コイルばねで付勢したカップリング軸により感光体ドラムとドラム駆動ギアが接続され、圧縮コイルばねが圧縮される方向にカップリング軸を押すカムレバーを備えた画像形成装置が記載されている。
【先行技術文献】
【特許文献】
【０００３】
【特許文献１】特開平１１−１６７３３５号公報
【発明の概要】
【発明が解決しようとする課題】
【０００４】
本発明は、軸継手の接続と軸受の位置決めとを連動させ、且つ、軸継手の切り離しと軸受の位置決めの解除とを連動させることを目的とする。
【課題を解決するための手段】
【０００５】
請求項１に係る発明は、軸受を支持し、当該軸受に支持される回転軸と交差する第１の方向に当該軸受が取り外されるように開放されている軸受支持部と、前記回転軸の一端に設けられた回転軸側軸継手に接続されることにより前記回転軸に駆動力を伝達する駆動側軸継手と、前記軸受に接触する軸受接触部を有する接触部材と、前記駆動側軸継手を駆動源に接続されたまま前記回転軸側軸継手に向けて押し出すことにより前記駆動側軸継手を前記回転軸側軸継手に接続する押出手段と、前記接触部材に設けられた、前記駆動側軸継手に接触する駆動側軸継手接触部とを有し、前記軸受接触部は、前記接触部材が第１の位置に位置する場合に、前記軸受の前記第１の方向への移動を規制するように前記軸受に接触すると共に、前記接触部材が前記第１の位置から前記回転軸と交差する第２の方向に移動した場合に、前記軸受の前記第１の方向への移動を規制しないように前記軸受から離され、前記駆動側軸継手は、前記接触部材が前記第１の位置に位置する場合に、前記回転軸側軸継手に接続されるように前記押出手段によって前記回転軸側軸継手に向けて押し出されると共に、前記接触部材が前記第１の位置から前記第２の方向に移動した場合に、前記回転軸側軸継手から離れるように前記駆動側軸継手接触部によって引き戻されることを特徴とする支持機構を提供する。
【０００６】
請求項２に係る発明は、請求項１に記載の支持機構において、前記支持機構と前記回転軸を有する回転体とを収容する筐体と、前記筐体の一面が開閉されるように設けられた開閉部と、前記開閉部が閉じられている場合に前記接触部材を前記第１の位置に位置させ、前記開閉部が開かれた場合に前記接触部材を前記第１の位置から前記第２の方向に移動させるリンク機構とを有することを特徴とする。
【０００７】
請求項３に係る発明は、請求項１又は２に記載の支持機構において、前記駆動側軸継手の外周面にフランジが設けられており、前記駆動側軸継手接触部は、前記回転軸側軸継手の側から前記フランジに接触し、前記接触部材が前記第２の方向に移動するにつれて前記回転軸側軸継手から離れる方向に前記駆動側軸継手を引き戻すように、前記第２の方向に対して傾斜させて設けられていることを特徴とする。
請求項４に係る発明は、請求項１乃至３のいずれかに記載の支持機構において、前記軸受支持部は、前記軸受の周方向の２箇所で前記軸受の外周面に接触することによって前記軸受を支持し、前記軸受接触部は、前記軸受の周方向の１箇所で前記軸受の外周面に接触することによって前記軸受の前記第１の方向への移動を規制することを特徴とする。
【０００８】
請求項５に係る発明は、請求項１乃至４のいずれかに記載の支持機構と、前記駆動側軸継手に駆動力を伝達する駆動源と、像保持体と、前記像保持体の回転軸を支持するとともに前記軸受支持部に支持される軸受と、前記回転軸の一端に設けられた回転軸側軸継手と、前記像保持体に像を形成する像形成手段と、前記像保持体に形成された像を記録媒体に転写する転写手段とを有することを特徴とする画像形成装置を提供する。
【発明の効果】
【０００９】
請求項１、３及び５に係る発明によれば、軸継手の接続と軸受の位置決めとを連動させ、且つ、軸継手の切り離しと軸受の位置決めの解除とを連動させることができる。
請求項２に係る発明によれば、開閉部を閉じる操作と軸継手の接続と軸受の位置決めとを連動させ、且つ、開閉部を開く操作と軸継手の切り離しと軸受の位置決めの解除とを連動させることができる。
請求項４に係る発明によれば、周方向の３箇所で軸受に接触する構成でない場合と比べて、軸受を正確に位置決めすることができる。
【図面の簡単な説明】
【００１０】
【図１】画像形成装置１００の右側面図。
【図２】画像形成装置１００の平面図。
【図３】画像形成装置１００の背面側から見た支持機構４１Ａの断面図。
【図４】画像形成装置１００の背面側から見た支持機構４１Ａの断面図。
【図５】回転軸側軸継手５０を示す図。
【図６】駆動側軸継手６０を示す図。
【図７】画像形成装置１００の右側面図。
【図８】画像形成装置１００の右側面図。
【図９】図７における軸受支持部４２の付近を拡大して示した図。
【図１０】図８における軸受支持部４２の付近を拡大して示した図。
【図１１】リンク機構４４の右側面図。
【図１２】リンク機構４４の左側面図。
【図１３】接触部材４５を示す図。
【図１４】接触部材４５と駆動側軸継手６０との位置関係を示す図。
【発明を実施するための形態】
【００１１】
図１は、画像形成装置１００の右側面図である。同図は、画像形成に関連する主な構成要素を示している。同図において、右側が画像形成装置１００の背面側、左側が正面側、手前側が右側面側、奥側が左側面側である。以下の説明において、「正面側」、「背面側」、「右側面側」、「左側面側」と記した場合、いずれも画像形成装置１００を基準とした方向を指す。また、画像形成装置１００の正面側から背面側に向かう方向を＋Ｘ方向とし、画像形成装置１００の右側面側から左側面側に向かう方向を＋Ｙ方向とし、画像形成装置１００の下側から上側に向かう方向を＋Ｚ方向とする。図２以降の座標軸も同様である。
【００１２】
制御部１は、演算装置であるＣＰＵ（Central Processing Unit）と、記憶装置であるＲＯＭ（Read Only Memory）及びＲＡＭ（Random Access Memory）を有し、ＣＰＵがＲＯＭに記憶されているＯＳを実行することによって画像形成装置１００の各部を制御する。制御部１は、通信Ｉ／Ｆ（Interface）を有し、ＬＡＮ（Local Area Network）を介して他の装置からデータを受信する。制御部１は、受信したデータをビットマップ形式の画像データに変換して書込部１３に出力する。
【００１３】
媒体収容部３１には、紙等、シート状の記録媒体Ｐが積み重ねられて収容されており、送り出しローラ３２が感光体１１の動作と同期させて記録媒体Ｐを１枚ずつ搬送路３４に送り出す。搬送路３４上に設けられた搬送ローラ３３が駆動されることにより、記録媒体Ｐが搬送路３４に沿って矢印Ｂの方向に搬送される。
【００１４】
感光体１１（回転体、像保持体の一例）の周囲には、帯電部１２、書込部１３、現像部１４、転写部１５が設けられている。
感光体１１は、モータ（図示省略）により矢印Ａの方向に回転駆動される回転体であり、その表面には、光の照射によって電位が変化する半導体で作製された感光層が設けられている。
帯電部１２（像形成手段の一例）は、例えば、コロトロン型帯電装置、ローラ式帯電装置等であり、感光体１１の表面を予め定められた電位に帯電させる。
【００１５】
書込部１３（像形成手段の一例）は、画像データに基づいて感光体１１に潜像を書き込む。具体的には、書込部１３は、制御部１から供給された画像データで表される各画素の階調に対応するレーザビームＬＢを生成し、このレーザビームＬＢで感光体１１の表面を感光体１１の軸方向（主走査方向）に走査することによって潜像を形成する。感光体１１が回転駆動されることによって主走査方向の走査線単位での潜像の書き込みが感光体１１の周方向（副走査方向）に繰り返される。
【００１６】
現像部１４（像形成手段の一例）は、感光体１１に書き込まれた潜像を現像する。具体的には、現像部１４の内部には、トナーとキャリアからなる２成分現像剤が収容されている。トナーは、樹脂製の粉体を黒色の色材で着色したものである。キャリアは、磁性体で作製された粉体である。現像部１４の筐体は、感光体１１に対向する側が開口しており、その内部には、感光体１１と互いの外周面が対向するように現像ローラが設けられている。２成分現像剤は、回転駆動される現像ローラの外周面に付着する。現像ローラには、潜像と逆極性の現像バイアス電圧が印加され、この現像バイアス電圧によってトナーが帯電させられる結果、静電引力によりトナーが潜像上に移送される。このようにして潜像がトナーで現像され、感光体１１にトナー像が形成される。
【００１７】
転写部１５（転写手段の一例）は、例えば、コロトロン型帯電装置、ローラ式帯電装置等であり、搬送路３４を挟んで感光体１１と対向する位置に設けられている。転写部１５には、感光体１１上のトナー像と逆極性の転写バイアス電圧が印加され、この転写バイアス電圧によって記録媒体Ｐが帯電させられる結果、静電引力によりトナー像が記録媒体Ｐに転写される。
【００１８】
定着部１６は、熱源を有する加熱部材と、加熱部材に押し当てられる加圧部材とを有し、加熱部材と加圧部材との間に媒体Ｐを挟んでトナー像を溶融・加圧することによって、トナー像を記録媒体Ｐに定着させる。
排出部３５は、筐体４０の上面において搬送路３４の出口に設けられた、記録媒体Ｐが収まる大きさを有する窪みである。定着部１６によってトナー像が定着された記録媒体Ｐが、搬送路３４の出口から排出部３５に排出される。
【００１９】
図２は、画像形成装置１００の平面図（透視図）であり、感光体１１の支持に関連する主な構成要素を示している。感光体１１の回転軸１１１は、その一端を支持機構４１Ａに支持され、他端を支持機構４１Ｂに支持される。以下の説明では、特に断りのない場合、回転軸１１１の長手方向を軸方向といい、感光体１１が回転する方向を周方向という。
図３、図４は、画像形成装置１００の背面側から見た支持機構４１Ａの断面図（図１のI-I方向）である。図３、図４は、接触部材４５の移動の前後の状態を示すが、接触部材４５の移動については後述する。
【００２０】
図５は、回転軸側軸継手５０を示す図である。回転軸側軸継手５０は、円筒状の部材であり、回転軸１１１の一端がはめ込まれる第１凹部５１が形成されている。第１凹部５１の軸方向の断面は、円の一部を変形させた形状であり、回転軸１１１の一端もこの断面に対応する形状に形成されている。第１凹部５１の反対側には第２凹部５２が形成されている。第２凹部５２は、軸方向の断面が円形の空洞に、軸方向に延びる１つ以上のキー溝５３が形成されたものである。
【００２１】
図６は、駆動側軸継手６０を示す図である。
駆動側軸継手６０は、回転軸１１１の一端に設けられた回転軸側軸継手５０に接続されることにより回転軸１１１に駆動力を伝達する。フランジ６４は、駆動側軸継手６０の外周面に設けられている。具体的には、次のとおりである。
駆動側軸継手６０は、円柱状の本体６１を有し、本体６１の一端側の外周面には、回転軸側軸継手５０のキー溝５３に対応する第１キー６２が形成されている。本体６１の他端側の外周面には、第２キー６３が形成されている。本体６１の外周面にはフランジ６４が形成されている。本体６１の第２キー６３が設けられている側の端面には第３凹部６５が形成されている。
図３に示すように、回転軸１１１の一端が回転軸側軸継手５０の第１凹部５１にはめ込まれている。軸受１１２は、回転軸側軸継手５０を介して回転軸１１１を支持する。軸受支持部４２は、筐体４０に固定されており、軸受１１２を支持する。
【００２２】
モータ７０（駆動源の一例）は、筐体４０に固定されている。モータ７０は、回転子７１と固定子７２を有し、回転子７１の中心部には、駆動側軸継手６０の第２キー６３に対応するキー溝（図示省略）を有する第４凹部７３が形成されている。駆動側軸継手６０の軸方向の長さＬ１は、第２凹部５２の底面から第４凹部７３の底面までの距離Ｌ２よりも短い。従って、駆動側軸継手６０は、第２凹部５２と第４凹部７３との間の空間を軸方向に距離（Ｌ２−Ｌ１）に渡って移動し得る。また、第２凹部５２の深さＤ１は、（Ｌ２−Ｌ１）よりも浅く、第４凹部７３の深さは、（Ｌ２−Ｌ１）よりも深い。従って、駆動側軸継手６０の位置に関わらず、駆動側軸継手６０の第２キー６３が第４凹部７３のキー溝にはめ込まれた状態が保持される。
【００２３】
バネ７４（押出手段の一例）は、駆動側軸継手６０をモータ７０に接続されたまま回転軸側軸継手５０に向けて押し出すことにより駆動側軸継手６０を回転軸側軸継手５０に接続する。具体的には、第３凹部６５の底面と第４凹部７３の底面との間には、軸方向に反発力を生じるバネ７４が介在させられており、バネ７４の反発力によって、駆動側軸継手６０が回転軸側軸継手５０に向けて押し出される。駆動側軸継手６０が押し出された場合に、駆動側軸継手６０の第１キー６２が回転軸側軸継手５０のキー溝５３にはめ込まれる。従って、駆動側軸継手６０が押し出された場合に、モータ７０の駆動力が駆動側軸継手６０及び回転軸側軸継手５０を介して回転軸１１１に伝達される。
【００２４】
図７、図８は、画像形成装置１００の右側面図（透視図）である。図７は、接触部材４５が第１の位置に位置する場合の図であり、図８は、接触部材４５が第１の位置から第２の方向（矢印Ｄの方向）に移動させられた場合の図である。
図９、図１０は、それぞれ図７、図８における軸受支持部４２の付近を拡大して示した図である。
【００２５】
開閉部４３は、ヒンジ４３１によって筐体４０と結合されており、図示のように開閉される。接触部材４５は、開閉部４３が閉じられている場合に第１の位置に位置し、開閉部４３が開かれた場合に、第１の位置から第２の方向に移動させられる。
【００２６】
軸受支持部４２は、軸受１１２を支持し、軸受１１２に支持される回転軸１１１と交差する第１の方向に軸受１１２が取り外されるように開放されている。具体的には、次のとおりである。
軸受支持部４２は、第１支持部４２１と第２支持部４２２とを有し、第１支持部４２１と第２支持部４２２は、平面状に形成されており、軸受１１２の周方向の２箇所でそれぞれが軸受１１２の外周面に接触する。第１支持部４２１は、軸受１１２の下方に位置し、第２支持部４２２は、軸受１１２の背面側に位置する。第１支持部４２１は背面側に向かって下降するように傾斜を付けて設けられているため、第１支持部４２１と第２支持部４２２とにより、軸受１１２が脱落することなく支持される。軸受支持部４２は、正面側斜め上方向（矢印Ｃの方向、第１の方向）に向けて開放されている。
第１支持部４２１と第２支持部４２２から第１の方向に向かって、２本の軸受ガイド部４２３が設けられており、感光体１１の交換時には、軸受１１２が２本の軸受ガイド部４２３の間の空間を通過させられる。
【００２７】
図１１は、リンク機構４４の右側面図である。図１２は、リンク機構４４の左側面図である。リンク機構４４は、開閉部４３と接触部材４５を連動させるための機構である。
第１リンク部材４４１の正面側の端部は、ヒンジ４３２（図２参照）によって開閉部４３の背面側の面と連結されている。第２リンク部材４４２の正面側の端部付近には、第２リンク部材４４２の長手方向に延びる断面を有するガイド穴４４２ａが形成されている。第１リンク部材４４１の背面側の端部に設けられたピン４４１ａはガイド穴４４２ａに通されており、第１リンク部材４４１は第２リンク部材４４２に対してピン４４１ａを支点として回転し得るとともに、ガイド穴４４２ａにそって移動し得る。
【００２８】
第２リンク部材４４２のガイド穴４４２ａよりも背面側の部位には、第２リンク部材４４２の長手方向に延びる断面を有するガイド穴４４２ｂが長手方向の２箇所に形成されている。ガイド穴４４２ｂの各々には、筐体４０に固定された軸方向に延びる支柱４４４が通されており、第２リンク部材４４２は長手方向に移動し得る。
第２リンク部材４４２の背面側の端部付近には、背面側斜め下に向かって延びる断面を有するガイド穴４４２ｃが形成されている。接触部材４５の下部には、継ぎ足し部材４５４が設けられており、継ぎ足し部材４５４に設けられたピン４５５がガイド穴４４２ｃに通されている。２つのガイド部４６は、正面側斜め下方向（矢印Ｄの方向、第２の方向）に延びるように筐体４０に形成されており、接触部材４５は２つのガイド部４６に挟まれた状態で第２の方向とその反対方向に移動し得る。
【００２９】
図１３は、接触部材４５を示す図である。図１４は、接触部材４５と駆動側軸継手６０との位置関係を示す図である。
接触部材４５は、軸受１１２に接触する軸受接触部４５１を有する。軸受接触部４５１は、接触部材４５が第１の位置に位置する場合に、軸受１１２の第１の方向への移動を規制するように軸受１１２に接触すると共に、接触部材４５が第１の位置から回転軸１１１と交差する第２の方向に移動した場合に、軸受１１２の第１の方向への移動を規制しないように軸受１１２から離される。
【００３０】
軸受接触部４５１は、平面状に形成された接触部位を有し、この接触部位が軸受１１２の正面側から軸受１１２の外周面に接触させられる。また、継ぎ足し部材４５４と接触部材４５とは、バネ４５６で連結されており、バネ４５６の反発力により接触部材４５が第２方向と反対の方向に押し出されるので、第１の位置において、軸受接触部４５１が軸受１１２の外周面に押し当てられる。なお、図１４では軸受１１２が図示されていないが、駆動側軸継手６０の第１キー６２が設けられている側に回転軸側軸継手５０が接続され、回転軸側軸継手５０を軸受１１２が支持する。つまり、図１４において軸受接触部４５１の奥側に軸受１１２が設けられている。
【００３１】
接触部材４５は、回転軸側軸継手５０の側からフランジ６４に接触する駆動側軸継手接触部４５２とを有する。駆動側軸継手接触部４５２は、画像形成装置１００の左側面側斜め上方向に延びる接触部位を有し、この接触部位が右側面側からフランジ６４に接触させられる。この接触部位は、接触部材４５が第２の方向に移動するにつれて回転軸側軸継手５０から離れる方向に駆動側軸継手６０を引き戻すように、第２の方向に対して傾斜させて設けられている。駆動側軸継手６０は、接触部材４５が第１の位置に位置する場合に、回転軸側軸継手５０に接続されるようにバネ７４によって回転軸側軸継手５０に向けて押し出されると共に、接触部材４５が第１の位置から第２の方向に移動した場合に、回転軸側軸継手５０から離れるように駆動側軸継手接触部４５２によって引き戻される。
なお、支持機構４１Ｂは、接触部材４５が駆動側軸継手接触部４５２を備えない以外は支持機構４１Ａと同様に構成されている。
【００３２】
次に、本実施形態の動作について説明する。
開閉部４３が閉じられている場合、第１リンク部材４４１及び第２リンク部材４４２が背面側に押し込まれた状態となり、接触部材４５は、第１の位置に位置させられる（図７、図９、図１１（ｂ）、図１１（ｃ）参照）。第１の位置において、接触部材４５の軸受接触部４５１が軸受１１２に接触することにより、軸受１１２の第１の方向への移動が規制される（図９参照）。軸受１１２は、軸受接触部４５１と、軸受支持部４２の第１支持部４２１及び第２支持部４２２とにより、周方向の３点で支持されることにより位置決めがなされる。また、接触部材４５の駆動側軸継手接触部４５２はフランジ６４を引き戻していないので、駆動側軸継手６０がバネ７４に押し出された状態となる。その結果、駆動側軸継手６０が回転軸側軸継手５０に接続された状態となる（図３、図１４（ａ）参照）。
【００３３】
開閉部４３が開かれると（図８、図１１（ａ）参照）、第１リンク部材４４１が反時計回りに回転しながら正面側に移動させられ、これに伴って、第２リンク部材４４２が正面側に移動させられる。ガイド穴４４２ｃは背面側斜め下に向かって延びているため、第２リンク部材４４２の移動に伴って、接触部材４５が第２の方向に移動させられる。その結果、軸受接触部４５１が軸受１１２から離され、軸受１１２の第１の方向への移動が規制されなくなる（図１０参照）。つまり、軸受１１２の位置決めが解除される。また、駆動側軸継手接触部４５２がフランジ６４に接触しながら接触部材４５が第２の方向に移動させられるため、駆動側軸継手接触部４５２によりフランジ６４が引き戻される（図１４（ｂ）参照）。その結果、回転軸側軸継手５０から離れる方向に駆動側軸継手６０が引き戻され、駆動側軸継手６０が回転軸側軸継手５０から切り離される（図４参照）。
【００３４】
本実施形態によれば、開閉部４３が開かれた場合に、軸受１１２の位置決めの解除と、駆動側軸継手６０の回転軸側軸継手５０からの切り離しとが連動して行われる。また、開閉部４３が閉じられた場合に、軸受１１２の位置決めと、駆動側軸継手６０の回転軸側軸継手５０への接続とが連動して行われる。
また、駆動側軸継手６０の回転軸側軸継手５０からの切り離しは、回転軸側軸継手５０から離される方向に駆動側軸継手６０を移動させることによって行われるから、感光体１１を軸方向に移動させるための空間が不要となる。
また、接触部材４５が、軸受１１２の位置決めと、駆動側軸継手６０の切り離しとの２つの機能を兼ね備えるから、これらの機能を別々の部品で実現する構成と比べて、部品数が少なくなる。
【００３５】
＜変形例＞
上記の実施形態を以下に示す変形例のように変形してもよい。また、実施形態と変形例を組み合わせてもよい。また、複数の変形例を組み合わせてもよい。
【００３６】
実施形態では、軸受１１２が回転軸側軸継手５０を介して回転軸１１１を支持する例を示したが、回転軸側軸継手５０を介さずに、軸受１１２が回転軸１１１を直接支持するようにしてもよい。
【００３７】
実施形態では、モータ７０の回転子７１に駆動側軸継手６０を接続する例を示したが、モータ７０の駆動力を歯車列を介して駆動側軸継手６０に伝達するようにしてもよい。
【００３８】
実施形態では、回転体の一例として感光体１１を示したが、例えば、現像ローラ、ローラ式の帯電装置、ローラ式の転写装置等の回転軸の軸受の支持機構として本発明を適用してもよい。
【００３９】
実施形態では、感光体１１を単独で交換する例を示したが、帯電部１２、現像部１４、感光体１１に残留したトナーを取り除く除去部等、感光体１１の周辺に設けられる構成要素の１つ以上を感光体１１と一体化したカートリッジを用いる画像形成装置に本発明を適用してもよい。
【００４０】
実施形態では、周方向の３点で軸受１１２を支持することにより軸受１１２を位置決めする例を示したが、例えば、軸受１１２の外周面に沿う曲面が形成された軸受支持部を設けてもよい。
【００４１】
実施形態では、軸受１１２の位置決め又は解除と、駆動側軸継手６０の接続又は切り離しとを開閉部４３の開閉に連動させる例を示したが、例えば、リンク機構４４を設けずに、ユーザが接触部材４５を操作するようにしてもよい。この場合も、軸受１１２の位置決め又は解除と、駆動側軸継手６０の接続又は切り離しとが連動して行われる。
【００４２】
実施形態では、駆動側軸継手６０の正面側と背面側に駆動側軸継手接触部４５２が設けられている例を示したが、正面側と背面側のいずれか一方に駆動側軸継手接触部４５２が設けられていてもよい。
【００４３】
実施形態では、バネ７４が駆動側軸継手６０を回転軸側軸継手５０に向けて押し出す例を示したが、バネ７４が駆動側軸継手６０を回転軸側軸継手５０から離れる方向に引き戻すようにしてもよい。この場合、駆動側軸継手接触部４５２が回転軸側軸継手５０の反対側からフランジ６４に接触するように構成する。つまり、この構成においては、接触部材４５が第１の位置に位置する場合に、駆動側軸継手接触部４５２によって駆動側軸継手６０が回転軸側軸継手５０に向けて押し出され、接触部材４５が第１の位置から第２の方向に移動した場合に、バネ７４によって駆動側軸継手６０が回転軸側軸継手５０から離れるように引き戻される。
【符号の説明】
【００４４】
１００…画像形成装置、１…制御部、１１…感光体、１１１…回転軸、１１２…軸受、１２…帯電部、１３…書込部、１４…現像部、１５…転写部、１６…定着部、３１…媒体収容部、３４…搬送路、３５…排出部、４０…筐体、４１Ａ…支持機構、４１Ｂ…支持機構、４２…軸受支持部、４２１…第１支持部、４２２…第２支持部、４２３…軸受ガイド部、４３…開閉部、４３１…ヒンジ、４３２…ヒンジ、４４…リンク機構、４４１…第１リンク部材、４４１ａ…ピン、４４２…第２リンク部材、４４２ａ…ガイド穴、４４２ｂ…ガイド穴、４４２ｃ…ガイド穴、４４４…支柱、４５…接触部材、４５１…軸受接触部、４５２…駆動側軸継手接触部、４５４…継ぎ足し部材、４５５…ピン、４５６…バネ、４６…ガイド部、５０…回転軸側軸継手、５１…第１凹部、５２…第２凹部、５３…キー溝、６０…駆動側軸継手、６１…本体、６２…第１キー、６３…第２キー、６４…フランジ、６５…第３凹部、７０…モータ、７１…回転子、７２…固定子、７３…第４凹部、７４…バネ
【図１】
0005978756.tif 000002
【図２】
0005978756.tif 000003
【図３】
0005978756.tif 000004
【図４】
0005978756.tif 000005
【図５】
0005978756.tif 000006
【図６】
0005978756.tif 000007
【図７】
0005978756.tif 000008
【図８】
0005978756.tif 000009
【図９】
0005978756.tif 000010
【図１０】
0005978756.tif 000011
【図１１】
0005978756.tif 000012
【図１２】
0005978756.tif 000013
【図１３】
0005978756.tif 000014
【図１４】
0005978756.tif 000015